(57)【要約】      （修正有）【課題】安価かつ容易に用いることができる、壁面に取り付けられて支持物を支持する支持具を提供する。【解決手段】壁面に取り付けられ、支持物を支持する支持具であって、主表面を形成し支持物を支持する一面３６ｂと、主表面を形成する他面３６ａと、壁面を含む平面に少なくとも２点で当接可能な当接縁部３７と、を有する支持板３１と、縁部３７が沿った線分と略平行な１辺４２ｂが沿った線分の周りに回動可能に支持板の他面３６ａに端部４４が取り付けられたつっかえ部材４１と、つっかえ部材の他方側端部４２ａと支持板の当接縁部３７との間の距離が所定距離以下に保持されるよう支持板とつっかえ部材とを連結するシート２１と固定部５１からなる連結部材と、を備えてなり、薄肉部２２，２３で屈折可能で、支持板とつっかえ部材と連結部材との間の少なくとも１の間が分離連結可能に形成されている。【選択図】図２
0003186494.tif 000002
【実用新案登録請求の範囲】
【請求項１】
壁面に取り付けられ、支持物を支持する支持具であって、
主表面を形成し支持物を支持する一面と、主表面を形成する他面と、平面に少なくとも２点で当接可能な縁部である当接縁部と、を有する支持板と、
該少なくとも２点を結ぶ第１の線分と略平行な第３の線分の周りに回動可能に支持板の該他面に一方側部分が設けられるつっかえ部材と、
つっかえ部材の他方側部分と支持板の当接縁部との間の距離が所定距離以下に保持されるよう支持板とつっかえ部材とを連結する連結部材と、
を備えてなり、
支持板とつっかえ部材との間、つっかえ部材と連結部材との間、連結部材と支持板との間の少なくとも１の間が分離され連結可能な分断部分が形成されているものである、支持具。
【請求項２】
連結部材が、支持板の当接縁部及びつっかえ部材の他方側部分の少なくとも一方と同じ材質で一体に形成されるものである、請求項１に記載の支持具。
【請求項３】
連結部材が、支持板の当接縁部及びつっかえ部材の他方側部分のいずれか一方と一体に形成されており、他方と連結部材との間に分断部分が形成されているものである、請求項１又は２に記載の支持具。
【請求項４】
前記他方又はその近傍と連結部材とを取り付けるための粘着手段を備えるものである、請求項３に記載の支持具。
【請求項５】
連結部材が、支持板の当接縁部の近傍に位置し他の部分に比して折れ曲がりやすい支持板側折り曲げ部分及び／又はつっかえ部材の他方側部分の近傍に位置し他の部分に比して折れ曲がりやすいつっかえ部材側折り曲げ部分を有するものである、請求項１乃至４のいずれか１に記載の支持具。
【請求項６】
つっかえ部材が、第３の線分の周りに回動可能に支持板の前記他面に縁部が取り付けられたつっかえ板により構成されるものである、請求項１乃至５のいずれか１に記載の支持具。
【請求項７】
支持板の当接縁部が、第１の線分に沿って前記平面に当接可能であり、
つっかえ板の縁部が、第１の線分と略平行な第２の線分に沿って前記平面に直接又は間接に当接可能なものである、請求項６に記載の支持具。
【請求項８】
当該支持具の一部を貫通して壁面に打ち込まれることで支持板の当接縁部を壁面に固定するための固定具を貫通させる貫通口又は該固定具を打ち込むことで貫通口を形成しうる貫通口形成部を当接縁部の近傍に有するものである、請求項１乃至７のいずれか１に記載の支持具。
【請求項９】
貫通口形成部を有するものであり、固定具がステープラーの針である、請求項８に記載の支持具。
【請求項１０】
貫通口又は貫通口形成部が支持板に形成されるものである、請求項８又は９に記載の支持具。
【請求項１１】
つっかえ部材の他方側部分と支持板の当接縁部との間の距離が前記所定距離となるとき、つっかえ部材の他方側部分が前記平面に直接又は間接に当接し、支持板の前記一面と前記平面とが略垂直となるものである、請求項１乃至１０のいずれか１に記載の支持具。
【考案の詳細な説明】
【技術分野】
【０００１】
本考案は、支持具に関し、より詳細には、壁面に取り付けられて支持物を支持する支持具に関する。
【背景技術】
【０００２】
壁面に取り付けられて支持物を支持する支持具はこれまで種々のものが提案されてきた（例えば、特許文献１参照）。
特許文献１には、「釘などを使用していないにもかかわらず、棚などの相当の荷重を受け持つものでも支持できる壁付け支持具を提供する」（特許文献１、要約中の課題）ためになされたものであり、「壁付け支持具１が自身と壁Ｗとの間に、磁気回路形成機構４により形成される磁気回路の磁力により、金属製の壁面Ｗａに取付けられるとともに、同支持具１に被支持部材、例えばハンガー７を係止した場合、同支持具１の壁面Ｗａ沿っての下方への移動が、降下防止機構５により抑制されるもの」（特許文献１、要約中の解決手段）が開示されている。
【先行技術文献】
【特許文献】
【０００３】
【特許文献１】特開平９−４７３５３号公報（例えば、要約、段落番号０００１〜００１２、第１図、第２図等）
【考案の概要】
【考案が解決しようとする課題】
【０００４】
このような特許文献１に開示されたような支持具は、「取付け部と支持部とからなる壁付け支持具であって、前記取付け部が、磁気回路形成機構と、該磁気回路形成機構の下方に位置する降下防止機構とを備えてなることを特徴とする」（特許文献１の段落番号０００８）ものであり、構造及び取付作業が複雑であり安価かつ容易に用いることができるものではなかった。
そこで、本考案では、安価かつ容易に用いることができる、壁面に取り付けられて支持物を支持する支持具を提供することを目的とする。
【課題を解決するための手段】
【０００５】
本考案の支持具（以下、「本支持具」という。）は、壁面に取り付けられ、支持物を支持する支持具であって、主表面を形成し支持物を支持する一面と、主表面を形成する他面と、平面に少なくとも２点で当接可能な縁部である当接縁部と、を有する支持板と、該少なくとも２点を結ぶ第１の線分と略平行な第３の線分の周りに回動可能に支持板の該他面に一方側部分が設けられるつっかえ部材と、つっかえ部材の他方側部分と支持板の当接縁部との間の距離が所定距離以下に保持されるよう支持板とつっかえ部材とを連結する連結部材と、を備えてなり、支持板とつっかえ部材との間、つっかえ部材と連結部材との間、連結部材と支持板との間の少なくとも１の間が分離され連結可能な分断部分が形成されているものである、支持具である。
【０００６】
本支持具は、壁面に取り付けられた状態において、支持物を支持（裁置を含む）するために用いられる支持具である。
本支持具は、大まかには、支持板とつっかえ部材と連結部材とを備えてなる。
支持板は、両主表面を有する板状部材を含んで構成され、該両主表面をなす一面（本支持具の使用状態においては通常は上面）及び他面（本支持具の使用状態においては通常は下面）のうち該一面が支持物を支持し、該板状部材の縁部（該両主表面をなす一面及び他面の間に形成される部分）の一部である当接縁部は平面に少なくとも２点で当接可能である。
つっかえ部材は、つっかえ部材の一方側部分が第３の線分の周りに回動可能に支持板の該他面（支持物を支持する該一面とは反対の面）に設けられる（取り付けられ又は取り付け可能）。第３の線分は、該少なくとも２点（支持板の当接縁部が該平面に当接可能な該少なくとも２点）を結ぶ第１の線分と略平行な線分である。つっかえ部材の他方側部分（該一方側部分とは反対側の部分）は該平面に直接的（つっかえ部材の他方側部分と該平面との間に他のものが介在しない）又は間接的（つっかえ部材の他方側部分と該平面との間に他のものが介在する）に当接可能にされる。
連結部材は、つっかえ部材の他方側部分と支持板の当接縁部との間の距離が所定距離以下に保持されるよう支持板とつっかえ部材とを連結する。こうすることで当接縁部が該平面（本支持具が取り付けられる代表的な壁面を想定しているが、必ずしも壁面は平面に沿ったものである必要はない。）に対する位置が固定されれば、支持板とつっかえ部材とを連結する連結部材によってつっかえ部材の他方側部分と支持板の当接縁部との間の距離が所定距離以下に保持されるので、該平面に直接的又は間接的に当接する他方側部分と支持板の該他面に設けられる一方側部分との間でつっかえ部材がつっかうことによって支持板が第１の線分の周りに不意に回動（通常は下方への回動）することを防止することで、該平面に対する支持板の該一面の位置が固定され該一面が支持物を支持することができる。
そして、本支持具においては、支持板とつっかえ部材との間、つっかえ部材と連結部材との間、連結部材と支持板との間の少なくとも１の間が分離され連結可能な分断部分が形成されている。この分断部分を通じて支持板の当接縁部を壁面に対して直接又は間接に固定する作業（例えば、支持板の当接縁部を壁面に固定するための固定具を、本支持具の一部を貫通させ壁面に打ち込むこと）を容易に行うことができ、そして本支持具の構造によっては折りたたむことを可能にする等により、本支持具の使用を容易ならしめる。なお、分断部分は、支持板とつっかえ部材との間、つっかえ部材と連結部材との間、連結部材と支持板との間の３つの間のうちいずれか１つの間のみに形成されても又は２又は３の間に形成されてもよい。分断部分は、本支持具の使用までは両側が分断されているが、使用状態においては該両側が連結可能に形成されており、当接縁部が壁面に対する位置が固定されて分断部分の該両側が連結された状態においては、上述の如く、連結部材によってつっかえ部材の他方側部分と支持板の当接縁部との間の距離が所定距離以下に保持されるので、壁面と支持板の該他面との間でつっかえ部材がつっかうことによって支持板が第１の線分の周りに不意に回動することを防止し、壁面に対する支持板の該一面の位置が固定され該一面が支持物を支持することができる。
【０００７】
本支持具においては、連結部材が、支持板の当接縁部及びつっかえ部材の他方側部分の少なくとも一方と同じ材質で一体に形成されるものであってもよい。
こうすることで支持板とつっかえ部材とを連結する連結部材が、支持板の当接縁部及びつっかえ部材の他方側部分の少なくとも一方と同じ材質で一体に形成されるので、該少なくとも一方と連結部材とを連結するための別個の工程を要することなく本支持具を用いることができると共に、該少なくとも一方と連結部材との間の強度を高く保つことができ本支持具を堅牢に構成できる。
【０００８】
本支持具においては、連結部材が、支持板の当接縁部及びつっかえ部材の他方側部分のいずれか一方と一体に形成されており、他方と連結部材との間に分断部分が形成されているもの（以下、「連結部材分断本支持具」という。）であってもよい。
こうすることで支持板とつっかえ部材とを連結する連結部材が、支持板の当接縁部及びつっかえ部材の他方側部分のいずれか一方と一体に形成されると共に、いずれか他方（該いずれか一方が支持板の当接縁部の場合には該いずれか他方はつっかえ部材の他方側部分であり、該いずれか一方がつっかえ部材の他方側部分の場合には該いずれか他方は支持板の当接縁部である。）との間に分断部分が形成されるので、該いずれか一方と連結部材とを連結するための別個の工程を要することなく本支持具を用いることができると共に、連結部材と該いずれか他方との間に分断部分が形成されるので、連結部材の支持板の当接縁部側又はつっかえ部材の他方側部分側の分断部分により支持板の当接縁部を壁面に対して直接又は間接に固定する作業（例えば、支持板の当接縁部を壁面に固定するための固定具を、本支持具の一部を貫通して壁面に打ち込むこと）や本支持具の構造によっては折りたたみを容易に行うことができる。
【０００９】
連結部材分断本支持具の場合、前記他方又はその近傍と連結部材とを取り付けるための粘着手段を備えるものであってもよい。
こうすることで支持板の当接縁部及びつっかえ部材の他方側部分のうち連結部材との間に分断部分が形成されている前記他方又はその近傍と連結部材とを取り付けるための粘着手段を備えるので、分断部分が形成されている前記他方又はその近傍と連結部材とを粘着手段によって容易かつ迅速に取り付けることができるため本支持具の使用を容易かつ便ならしめる。粘着手段としては、粘着により前記他方又はその近傍と連結部材とを十分な強度で取り付けることができるものであれば特に制限なく用いることができるが、例えば、粘着テープや粘着層等を例示できる。
【００１０】
本支持具においては、連結部材が、支持板の当接縁部の近傍に位置し他の部分に比して折れ曲がりやすい支持板側折り曲げ部分及び／又はつっかえ部材の他方側部分の近傍に位置し他の部分に比して折れ曲がりやすいつっかえ部材側折り曲げ部分を有するものであってもよい。
連結部材は、支持板の当接縁部の近傍及び／又はつっかえ部材の他方側部分の近傍において折れ曲がることが多く（例えば、つっかえ部材が第３の線分の周りに回動すれば連結部材は支持板の当接縁部の近傍及び／又はつっかえ部材の他方側部分の近傍において折れ曲がり角度が変化する。）、このような連結部材の折れ曲がりは容易である方が本支持具の使用が円滑及び容易になる。かかる連結部材の折れ曲がりを容易ならしめるには、連結部材に他の部分よりも折れ曲がりやすい折り曲げ部分を形成すればよく、詳細には、支持板の当接縁部の近傍に位置し他の部分に比して折れ曲がりやすい支持板側折り曲げ部分及び／又はつっかえ部材の他方側部分の近傍に位置し他の部分に比して折れ曲がりやすいつっかえ部材側折り曲げ部分を形成すればよい。支持板側折り曲げ部分及びつっかえ部材側折り曲げ部分のいずれの折り曲げ部分もそれ以外の他の部分よりも折れ曲がりやすく形成されればいかなる構成であってもよいが、折れ曲がりが想定される折れ曲がり線に沿って形成された薄肉部（例えば、溝）、折れ曲がり線に沿って形成されたミシン目、折れ曲がり線に沿って形成された折れ癖、そして折れ曲がり線に沿って断続（点線状）して形成された断続薄肉部等を例示できる。
【００１１】
本支持具においては、つっかえ部材が、第３の線分の周りに回動可能に支持板の前記他面に縁部が取り付けられたつっかえ板により構成されるもの（以下、「つっかえ板本支持具」という。）であってもよい。
このように支持板の前記他面に縁部が第３の線分の周りに回動可能に取り付けられた板状部材のつっかえ板によりつっかえ部材を構成することで、棒状部材のつっかえ棒に比して強度を向上させることができると共に第３の線分に沿って支持板の前記他面を支持するようにでき、そうすれば壁面に対する支持板の該一面の位置が確実に固定され該一面が支持物を安定して確実に支持することができる。
【００１２】
つっかえ板本支持具の場合、支持板の当接縁部が、第１の線分に沿って前記平面に当接可能であり、つっかえ板の縁部が、第１の線分と略平行な第２の線分に沿って前記平面に直接又は間接に当接可能なものであってもよい。
こうすることで支持板の当接縁部が第１の線分に沿って前記平面（標準的な壁面を想定している）に当接可能であると共に、つっかえ板の他方側部分の縁部が、第１の線分と略平行な第２の線分に沿って前記平面（標準的な壁面を想定している）に直接又は間接に当接可能である。このため壁面（前記平面）に支持板の当接縁部が第１の線分に沿って当接しかつ壁面（前記平面）につっかえ板の縁部が第２の線分（第１の線分と略平行）に沿って直接又は間接に当接するので（互いに略平行な第２の線分及び第１の線分に沿って支持板の当接縁部とつっかえ板の縁部とが壁面に当接する。）、本支持具が壁面（前記平面）に対して不意に傾くことを防止又は減少でき、壁面に対する支持板の該一面の位置がしっかりと固定され該一面が支持物を一層安定して確実に支持することができる。
【００１３】
本支持具においては、当該支持具の一部を貫通して壁面に打ち込まれることで支持板の当接縁部を壁面に固定するための固定具を貫通させる貫通口又は該固定具を打ち込むことで貫通口を形成しうる貫通口形成部を当接縁部の近傍に有するもの（以下、「固定具固定本支持具」という。）であってもよい。
本支持具においては、支持板の当接縁部が壁面に対する位置が固定されて分断部分の両側が連結され閉じられた状態においては、上述の通り、連結部材によってつっかえ部材の他方側部分と支持板の当接縁部との間の距離が所定距離以下に保持されるので、壁面と支持板の該他面との間でつっかえ部材がつっかうことによって支持板が第１の線分の周りに不意に回動することを防止し、壁面に対する支持板の該一面の位置が固定され該一面が支持物を支持することができる。このように支持板の当接縁部の壁面に対する位置が固定される必要があり（該位置が固定されればよく、当接縁部を壁面に直接固定する必要は必ずしもない。）、そのためには本支持具を壁面に対して接着、粘着、融着等してもよいが、本支持具の一部を貫通して壁面に打ち込まれることで支持板の当接縁部を壁面に固定（直接又は間接）するための固定具を用いるようにしてもよい。かかる固定具を用いることで、固定具が貫通する本支持具を固定具が打ち込まれる壁に確実かつ強固に固定し、支持板の当接縁部の壁面に対する位置を確実に固定することができる。このような固定具を用いる場合、本支持具の一部を貫通して壁面に打ち込みやすくするため、固定具を貫通させる貫通口又は固定具を打ち込むことで貫通口を形成しうる貫通口形成部（例えば、固定具を打ち込みやすくするために、他の部分よりも薄肉にしておく）を当接縁部の近傍に設ければよい。
【００１４】
固定具固定本支持具の場合、貫通口形成部を有するものであり、固定具がステープラーの針であってもよい。
固定具は、本支持具の一部を貫通して壁面に打ち込まれることで支持板の当接縁部を壁面に（直接又は間接に）固定するものであれば特に制限なく広く用いることができ、ステープラーの針、釘、ボルト（外周に雄ねじが螺刻されている）、画鋲、ピン等を例示できる。ステープラーの針は、左右一対の針部（壁面に打ち込まれる部分）と、一対の針部を連結する連結部と、を有しており、一対の針部が壁の内部に打ち込まれることで壁に対して固定されるものであり、針部が比較的細いため壁面への損傷を小さくすることができると共に連結部が本支持具の一部を確実に支持するので（ステープラーの針は打ち込まれることで貫通口を形成するものであるので貫通口形成部を予め設けておけばよい。）、壁面への損傷を小さく抑えつつ本支持具を壁面に確実に固定することができる。
【００１５】
固定具固定本支持具の場合、貫通口又は貫通口形成部が支持板に形成されるものであってもよい。
こうすることで支持板の当接縁部近くの支持板の部分に貫通口又は貫通口形成部が形成されるので、貫通口又は貫通口形成部を用いて固定具により本支持具を壁に固定すれば、支持板が下方に回動すると、当接縁部が壁面に押し付けられる（即ち、固定具が貫通した支持板の部分が支点となり、当接縁部が作用点となるようなてこに似たものを構成する。）ようにできるので支持板を安定して支持できる。
【００１６】
本支持具においては、つっかえ部材の他方側部分と支持板の当接縁部との間の距離が前記所定距離となるとき、つっかえ部材の他方側部分が前記平面に直接又は間接に当接し、支持板の前記一面と前記平面とが略垂直となるものであってもよい。
本支持具を取り付ける壁面は、通常、鉛直平面の一部をなすことが多く、この場合において、支持物を支持する支持板の前記一面は支持物をうまく裁置できること等から略水平となる方が好ましい。このようにするには、つっかえ部材の他方側部分と支持板の当接縁部との間の距離を連結部材がそれ以下に保持する前記所定距離となるとき（支持板の当接縁部が壁面に当接すると共に、当接縁部が当接した壁面の位置よりも下方につっかえ部材の他方側部分が直接又は間接に当接した状態では、つっかえ部材の他方側部分と支持板の当接縁部との間の距離が前記所定距離となる。）、つっかえ部材の他方側部分が前記平面に直接又は間接に当接し、支持板の前記一面と前記平面とが略垂直となるようにすればよい。
【図面の簡単な説明】
【００１７】
【図１】本考案の一実施形態の支持具（本支持具）を示す斜視図である。
【図２】本支持具の右側面図である。
【図３】本支持具の正面図である。
【図４】図３の円Ａ中の拡大正面図である。
【図５】図４の断面図（図５（ａ）は図４のＣ−Ｃ断面図であり、図５（ｂ）は図４のＢ−Ｂ断面図である。）である。
【図６】本支持具の使用方法の第１ステップを示す正面図である。
【図７】図７（ａ）は図６の円Ａ中の拡大正面図であり、図７（ｂ）は図７（ａ）のＢ−Ｂ断面図である。
【図８】図８（ａ）は、本支持具の使用方法の第２ステップを示す正面図であり、図８（ｂ）は図８（ａ）の矢印Ｄ方向から見たところを示す図である。
【考案を実施するための形態】
【００１８】
本考案の実施の形態を図面を参照して詳述するが、本考案はこれに限定されるものではない。
【００１９】
図１は、本考案の一実施形態の支持具（本支持具）１１を示す斜視図であり、図２は本支持具１１の右側面図（図１中、矢印Ｅ方向から見たところを示す）であり、図３は本支持具１１の正面図（図２中、矢印Ｆ方向から見たところを示す）であり、図４は図３の円Ａ中の拡大正面図であり、そして図５は図４の断面図（詳細には、図５（ａ）は図４のＣ−Ｃ断面図であり、図５（ｂ）は図４のＢ−Ｂ断面図である。）である。なお、図示及び理解を容易にするため、後述の支持部３１に対するつっかい部４１の角度を図１と図２及び図３とでは異ならせて図示している。また、図４及び図５においては４個の芯材欠損部３５のうち１個のものを示しているが、他の３個についても図４及び図５と同様の構造及び形状を有している。以下、図１乃至図５を参照して本支持具１１について説明する。
本支持具１１は、大まかには、本支持具１１を取り付ける壁面（不図示）に沿って配設される連結シート２１と、連結シート２１に対して回動自在に取り付けられた支持部３１と、支持部３１に対して回動自在に取り付けられたつっかい部４１と、連結シート２１に対して回動自在に取り付けられた固定部５１と、を備えてなる。
【００２０】
連結シート２１は、ここでは合成樹脂製の柔軟なシートにより形成されており、該シートの両主表面はいずれも長方形を略なしている。該シートの両主表面がなす長方形が有する互いに略平行な一対の辺のうちの一辺に沿って、連結シート２１の他の部分よりも厚みが小さな薄肉部である一辺側薄肉部２２が形成されると共に、該一対の辺のうちの他辺に沿って、連結シート２１の他の部分よりも厚みが小さな薄肉部である他辺側薄肉部２３が形成されている。
【００２１】
支持部３１は、連結シート２１の一辺側薄肉部２２に沿って連結シート２１に回動自在（一辺側薄肉部２２を軸として容易に回動できる。）に取り付けられており、詳細には、両主表面が長方形を略なし該長方形が有する互いに略平行な一対の辺のうちの一辺に沿って連結シート２１の一辺側薄肉部２２に取り付けられた長方形板状部３２と、長方形板状部３２の該一対の辺のうちの他辺に沿って形成され両主表面が半円形（この半円形の直径が長方形板状部３２の該他辺に沿うように形成されている。）を略なす半円形板状部３３と、を一体に有してなる。そして、長方形板状部３２と半円形板状部３３とを一体に有する支持部３１は、強度を向上させるための芯材３１ａ（ここでは厚紙により形成されている）と、芯材３１ａを覆う被覆材３１ｂ（ここでは連結シート２１を形成する合成樹脂と同じ合成樹脂によって形成されている。全体としては、被覆材３１ｂが支持部３１の外面を形成している。）と、を含んでなる（図５参照）。支持部３１は、主として芯材３１ａにより後述のように載置物３０１を支持するための十分な強度を有すると共に、芯材３１ａを覆う被覆材３１ｂにより支持部３１の表面が柔軟で使用感がよくかつ耐水性を有する。
支持部３１は、連結シート２１の一辺側薄肉部２２に沿って複数（ここでは４個）の芯材欠損部３５が形成されている。芯材欠損部３５はここでは略等脚台形状の凹部として形成されており、該等脚台形の両底のうち長い方の底が一辺側薄肉部２２に沿うように形成されている。芯材欠損部３５は、芯材３１ａが存在せず、被覆材３１ｂのみにより形成されているので（特に図５参照）、後述のように本支持具１１を壁面（不図示）に取り付けるための固定具（不図示。例えば、ステープラーの針。）を容易に貫通させることができる。
【００２２】
つっかい部４１は、支持部３１が有する両主表面３６ａ、３６ｂのうち一主表面３６ａに回動自在に取り付けられた板状部材により構成されている。該板状部材は、支持部３１と同様、強度を向上させるための芯材（ここでは厚紙により形成されている）と、芯材を覆う被覆材（ここでは連結シート２１を形成する合成樹脂と同じ合成樹脂によって形成されている）と、を含んでなる。つっかい部４１は、両主表面が長方形を略なし、該長方形が有する互いに略平行な一対の辺４２ａ、４２ｂのうちの一辺４２ｂに沿った取付部４４（半円形板状部３３の両主表面がなす半円形の直径と長方形板状部３２の前記他辺とが存する一線分に沿って取付部４４は形成されている。）により一主表面３６ａに回動自在に取り付け（ここでは融着）られている。
【００２３】
固定部５１は、連結シート２１の他辺側薄肉部２３に沿って連結シート２１に回動自在（他辺側薄肉部２３を軸として容易に回動できる。）に形成されており、詳細には、両主表面が長方形を略なし該長方形が有する互いに略平行な一対の辺のうちの一辺に沿って連結シート２１の他辺側薄肉部２３に取り付けられたシート部５２と、シート部５２の両主表面５２ａ、５２ｂのうち一主表面５２ａに形成された粘着部５３と、を有してなる。シート部５２は連結シート２１と同じ合成樹脂製の柔軟なシートにより連結シート２１と一体に形成されている。粘着部５３は、シート部５２の一主表面５２ａに形成された粘着層と、該粘着層を覆う保護シートと、を含んでなり（粘着層や保護シートの詳細な図示は省略する。）、保護シートを剥離することで粘着層の粘着面を露出させ、後述のように粘着面をつっかい部４１に粘着させ取り付けることができる。
【００２４】
このように本支持具１１の連結シート２１が平面に沿った状態においては、一辺側薄肉部２２（連結シート２１に対する支持部３１の回動軸）、他辺側薄肉部２３（連結シート２１に対する固定部５１の回動軸）、取付部４４（支持部３１に対するつっかい部４１の回動軸）、そしてつっかい部４１の辺４２ａは互いに略平行になっている。
【００２５】
次いで、本支持具１１の使用方法を説明する。
図６は、本支持具１１の使用方法の第１ステップを示す正面図（本支持具１１は図３と同じ方向から見ている。）であり、図７（ａ）は図６の円Ａ中の拡大正面図であり、そして図７（ｂ）は図７（ａ）のＢ−Ｂ断面図である。図６及び図７を参照して本支持具１１の使用方法の第１ステップを説明する。
ここでは本支持具１１を屋内の壁面１０１に取り付ける場合を例として説明する。まず、壁面１０１のどの位置に本支持具１１を取り付けるか予め決定した後、該予め決定した位置である壁面１０１の所定位置に本支持具１１を配置する。なお、該所定位置は、後述するように支持部３１が形成する載置面（両主表面３６ａ、３６ｂのうちの他主表面３６ｂ）が所望位置になるように適宜決定されればよい。
壁面１０１の所定位置に本支持具１１を配置した後、図示しないステープラーを用い、芯材欠損部３５にステープラーの針２０１を貫通するよう打ち込む（打ち込んだ状態が図６及び図７に示す状態）。針２０１は、左右一対の針部２０１ａと、一対の針部２０１ａを連結する連結部２０１ｂと、を有しており、一対の針部２０１ａが壁１０３の内部に打ち込まれることで壁１０３に対して針２０１が固定されている。そして、針２０１の連結部２０１ｂが本支持具１１の芯材欠損部３５を固定することで、壁１０３に対して本支持具１１が固定されている。
【００２６】
図８（ａ）は、本支持具１１の使用方法の第２ステップを示す正面図（図６と同じ方向から見ている。）であり、図８（ｂ）は図８（ａ）の矢印Ｄ方向から見たところを示す図である。図８を参照して本支持具１１の使用方法の第２ステップを説明する。
図６及び図７（第１ステップ）の後、支持部３１を壁面１０１から離れる方向（図６においては手前方向）に回動させる。そして、固定部５１の粘着部５３から保護シートを剥離して粘着層の粘着面を露出させる。その後、粘着部５３の粘着面をつっかい部４１に粘着させ取り付ける（特に図８（ｂ）参照）。これにより壁１０３に固定された本支持具１１の支持部３１の上面３９（他主表面３６ｂ）に載置物３０１（ここでは鉢植え）を載置することができる。なお、図８の状態においては、載置物３０１の重量（重力）により、つっかい部４１は図８（ｂ）中の矢印Ｇ方向に回動しようとするが、固定部５１及び連結シート２１によってこの回動が禁止されることにより、つっかい部４１が支持部３１のつっかいとなって支持部３１の上面３９に載置物３０１を安定して載置できる。
また、ここでは壁面１０１に対して上面３９が垂直に略なるようにされており（即ち、つっかい部４１、支持部３１及び連結シート２１により形成される図８（ｂ）に表れる三角形がつっかい部４１を斜辺とする直角三角形を略形成する。）、通常、壁面１０１は鉛直面であるので、一辺側薄肉部２２（連結シート２１に対する支持部３１の回動軸）が水平になるように本支持具１１が配設されれば、支持部３１の上面３９が水平面を略なし、上面３９に載置物３０１を安定して載置できる。
【００２７】
以上説明した通り、本支持具１１は、壁面１０１に取り付けられ、支持物（ここでは載置物３０１）を支持する支持具であって、主表面を形成し支持物を支持する一面（ここでは他主表面３６ｂ）と、主表面を形成する他面（一主表面３６ａ）と、平面（ここでは壁面１０１が含まれる平面）に少なくとも２点で当接可能な縁部である当接縁部（ここでは一辺側薄肉部２２近傍の他主表面３６ｂの縁部３７が該当する）と、を有する支持板（ここでは支持部３１）と、該少なくとも２点を結ぶ第１の線分（他主表面３６ｂの縁部３７が沿った線分）と略平行な第３の線分（一辺４２ｂが沿った線分）の周りに回動可能に支持板（支持部３１）の該他面（一主表面３６ａ）に一方側部分（ここでは一辺４２ｂ側の部分）が設けられるつっかえ部材（ここではつっかい部４１）と、つっかえ部材（つっかい部４１）の他方側部分（辺４２ａ側の部分）と支持板（支持部３１）の当接縁部３７との間の距離が所定距離以下に保持されるよう支持板（支持部３１）とつっかえ部材（つっかい部４１）とを連結する連結部材（連結シート２１と固定部５１とを含んで構成される）と、を備えてなり、支持板（支持部３１）とつっかえ部材（つっかい部４１）との間、つっかえ部材（つっかい部４１）と連結部材（連結シート２１と固定部５１）との間、連結部材（連結シート２１と固定部５１）と支持板（支持部３１）との間の少なくとも１の間（ここではつっかえ部材（つっかい部４１）と連結部材（連結シート２１と固定部５１）との間）が分離され連結可能な分断部分が形成されているものである、支持具である。
【００２８】
本支持具１１においては、連結部材（連結シート２１と固定部５１）が、支持板（支持部３１）の当接縁部３７及びつっかえ部材（つっかい部４１）の他方側部分（辺４２ａ側の部分）の少なくとも一方（ここでは支持板（支持部３１）の当接縁部３７）と同じ材質で一体に形成されるものである。
本支持具１１においては、連結部材（連結シート２１と固定部５１）が、支持板（支持部３１）の当接縁部３７及びつっかえ部材（つっかい部４１）の他方側部分（辺４２ａ側の部分）のいずれか一方（ここでは支持板（支持部３１）の当接縁部３７）と一体に形成されており、他方（ここではつっかえ部材（つっかい部４１）の他方側部分（辺４２ａ側の部分））と連結部材（連結シート２１と固定部５１）との間に分断部分が形成されているものである。
本支持具１１においては、前記他方（ここではつっかえ部材（つっかい部４１）の他方側部分（辺４２ａ側の部分））又はその近傍と連結部材（連結シート２１と固定部５１）とを取り付けるための粘着手段（ここでは粘着部５３）を備えるものである。
【００２９】
本支持具１１においては、連結部材（連結シート２１と固定部５１）が、支持板（支持部３１）の当接縁部３７の近傍に位置し他の部分に比して折れ曲がりやすい支持板側折り曲げ部分（ここでは一辺側薄肉部２２）及び／又はつっかえ部材（つっかい部４１）の他方側部分（辺４２ａ側の部分）の近傍に位置し他の部分に比して折れ曲がりやすいつっかえ部材側折り曲げ部分（ここでは他辺側薄肉部２３）を有するものである。
本支持具１１においては、つっかえ部材（つっかい部４１）が、第３の線分（一辺４２ｂが沿った線分）の周りに回動可能に支持板（支持部３１）の前記他面（一主表面３６ａ）に縁部（一辺４２ｂが沿った縁部）が取り付けられたつっかえ板（板状部材であるつっかい部４１）により構成されるものである。
本支持具１１においては、支持板（支持部３１）の当接縁部３７が、第１の線分に沿って前記平面（壁面１０１が含まれる平面）に当接可能であり、つっかえ板（つっかい部４１）の縁部（辺４２ａに沿った縁部）が、第１の線分と略平行な第２の線分に沿って前記平面（壁面１０１が含まれる平面）に直接又は間接に当接可能（ここでは連結部材（連結シート２１と固定部５１）がつっかえ板（つっかい部４１）縁部（辺４２ａに沿った縁部）と前記平面（壁面１０１が含まれる平面）との間に介在するので間接的に当接可能である。）なものである。
【００３０】
本支持具１１においては、当該支持具（本支持具１１）の一部を貫通して壁面１０１に打ち込まれることで支持板（支持部３１）の当接縁部３７を壁面１０１に固定するための固定具（ここではステープラーの針２０１）を貫通させる貫通口又は該固定具（ステープラーの針２０１）を打ち込むことで貫通口を形成しうる貫通口形成部（ここでは芯材欠損部３５）を当接縁部３７の近傍に有するものである。
本支持具１１においては、貫通口形成部（ここでは芯材欠損部３５）を有するものであり、固定具がステープラーの針２０１である。
本支持具１１においては、貫通口又は貫通口形成部（芯材欠損部３５）が支持板（支持部３１）に形成されるものである。
本支持具１１においては、つっかえ部材（つっかい部４１）の他方側部分（辺４２ａ側の部分）と支持板（支持部３１）の当接縁部３７との間の距離が前記所定距離となるとき、つっかえ部材（つっかい部４１）の他方側部分（辺４２ａ側の部分）が前記平面（壁面１０１が含まれる平面）に直接又は間接に当接し（ここでは連結部材（連結シート２１と固定部５１）がつっかえ部材（つっかい部４１）の他方側部分（辺４２ａ側の部分）と前記平面（壁面１０１が含まれる平面）との間に介在するので間接的に当接する。）、支持板（支持部３１）の前記一面（他主表面３６ｂ）と前記平面（壁面１０１が含まれる平面）とが略垂直となるものである。
【符号の説明】
【００３１】
１１              本支持具
２１              連結シート
２２              一辺側薄肉部
２３              他辺側薄肉部
３１              支持部
３１ａ            芯材
３１ｂ            被覆材
３２              長方形板状部
３３              半円形板状部
３５              芯材欠損部
３６ａ、３６ｂ    主表面
３７              縁部
３９              上面
４１              つっかい部
４２ａ、４２ｂ    辺
４４              取付部
５１              固定部
５２              シート部
５２ａ、５２ｂ    主表面
５３              粘着部
１０１              壁面
１０３              壁
２０１              ステープラーの針
２０１ａ            針部
２０１ｂ            連結部
３０１              載置物
【図１】
0003186494.tif 000003
【図２】
0003186494.tif 000004
【図３】
0003186494.tif 000005
【図４】
0003186494.tif 000006
【図５】
0003186494.tif 000007
【図６】
0003186494.tif 000008
【図７】
0003186494.tif 000009
【図８】
0003186494.tif 000010